(57)【要約】【課題】  携帯情報端末の使用状態が変化した場合でも、適切な音量・音質で通話や映像視聴等を行えるようにする。【解決手段】  イヤホンマイク１と端末本体１０とは、無線により接続される。ユーザは、音量設定部１５と音質設定部１６とを介して、端末内部で管理される所定の使用状態毎に、それぞれ適切と判断する音量や音質を予め設定することができる。内部的な使用状態が変化して、遷移後の使用状態が取得されると、この使用状態に関連付けられた音量設定情報３２と音質設定情報３３とがメモリから読み出される。本体マイク１１，本体スピーカ１２，外部マイク２，イヤホン３のそれぞれについて、音量や音質がそれぞれ個別に調節される。これにより、ユーザが携帯情報端末を使用中に、その内部の使用状態が変化した場合でも、適切な音量や音質に自動的に調節可能となる。【選択図】        図１
2005277999.tif 000002
【特許請求の範囲】
【請求項１】
少なくとも音声入力部及び音声出力部を有する携帯情報端末本体と、この携帯情報端末本体に接続され、少なくとも他の音声入力部及び他の音声出力部を有する外部装置とを備えた携帯情報端末において、
端末内部で管理される所定の内部使用状態毎に予め登録される調整用情報をそれぞれ記憶する記憶部と、
前記端末内部で管理される内部使用状態の変化を取得する使用状態取得部と、
前記取得された内部使用状態が前記所定の内部使用状態である場合に、この所定の内部使用状態に対応する前記調整用情報を前記記憶部から読出し、この調整用情報に基づいて、前記各音声入力部の入力状態または前記各音声出力部の出力状態の少なくともいずれか一方または両方を調整する調整部と、
を備えたことを特徴とする携帯情報端末。
【請求項２】
前記調整部は、音量及び音質の両方をそれぞれ個別に調整可能である請求項１に記載の携帯情報端末。
【請求項３】
前記各調整用情報には、前記各音声出力部の出力系統毎にそれぞれ設けられる調整用設定値がそれぞれ含まれている請求項１に記載の携帯情報端末。
【請求項４】
前記調整部は、前記各音声入力部及び前記各音声出力部をそれぞれ個別に調整可能である請求項１に記載の携帯情報端末。
【請求項５】
前記調整部は、前記携帯情報端末本体と前記外部装置との両方にそれぞれ設けられている請求項１に記載の携帯情報端末。
【請求項６】
前記内部使用状態の変化を検出する状態変化検出部を設け、前記使用状態取得部は、前記状態変化検出部により前記内部使用状態の変化が検出された場合に、変化後の前記内部使用状態を取得する請求項１に記載の携帯情報端末。
【請求項７】
前記記憶部に前記各調整用情報を登録させるための登録部を備えた請求項１に記載の携帯情報端末。
【請求項８】
前記所定の内部使用状態には、少なくとも待受状態及び音声通話状態のいずれもが含まれている請求項１に記載の携帯情報端末。
【請求項９】
前記携帯情報端末本体には、画像出力部をさらに設け、
前記所定の内部使用状態には、少なくとも待受状態、音声通話状態、映像視聴状態、音声通話かつ映像視聴状態のうちいずれか複数の状態が含まれている請求項１に記載の携帯情報端末。
【請求項１０】
前記記憶部は、前記携帯情報端末本体に着脱可能に設けられている請求項１に記載の携帯情報端末。
【請求項１１】
前記外部装置は、ヘッドセットまたはイヤホンマイクとして構成される請求項１に記載の携帯情報端末。
【請求項１２】
携帯情報端末本体及びこの携帯情報端末本体に無線を介して接続される外部装置を備え、同時に使用可能な複数の音声出力系統を有する携帯情報端末の音声出力を調整するための音声出力調整方法であって、
端末内部で管理される所定の内部使用状態毎に、調整用情報をそれぞれ登録するステップと、
前記各登録された調整用情報を記憶部にそれぞれ記憶させるステップと、
前記端末内部で管理される内部使用状態の変化を検出するステップと、
前記検出された内部使用状態の変化に基づいて、変化後の内部使用状態を取得するステップと、
前記取得された内部使用状態が前記所定の内部使用状態であるか否かを判定するステップと、
前記所定の内部使用状態であると判定された場合は、この所定の内部使用状態に対応する前記調整用情報を前記記憶部から読出すステップと、
前記読み出された調整用情報に基づいて、前記複数の音声出力系統の音声出力をそれぞれ個別に調整するステップと、
を含んだ携帯情報端末の音声出力調整方法。
【発明の詳細な説明】
【技術分野】
【０００１】
本発明は、例えば、携帯情報端末及び携帯情報端末の音声出力調整方法に関する。
【背景技術】
【０００２】
近年では、例えば、携帯電話や個人情報管理端末（Personal Digital Assistant）、ハンドヘルドコンピュータのような携帯情報端末が広く普及している。そして、携帯情報端末の中には、例えば、携帯電話に代表されるように、音声通話に加えて映像視聴ができる製品も存在する。映像視聴とは、例えば、通信網を介して配信されたテレビ番組の視聴、相手方の映像を見ながらの通話（テレビ電話）、端末内に保存された動画像データの再生等である。
【０００３】
例えば、ユーザが携帯情報端末で映像を視聴しているときに、外部からの着信があり、音声通話が開始されたような場合を考える。ユーザは、着信を無視して映像視聴を続行することも可能であるが、呼び出しに応えて音声通話を開始する場合、映像再生に伴う音声が騒音と化し、会話の邪魔をする。従って、ユーザは、映像再生の音量を低下させたり、映像再生を中断させてから、音声通話を行うことになる。
【０００４】
なお、携帯情報端末の開閉操作に応じて音量を調整したり（特許文献１）、時刻や場所等から着信時の状況をカテゴリ分けして音量を調整する技術（特許文献２）は、知られている。
【特許文献１】特開平８−２３７１５８号公報
【特許文献２】特開２００２−２６１８７８号公報
【発明の開示】
【発明が解決しようとする課題】
【０００５】
上記特許文献に記載されているように、携帯情報端末の音量を自動的に調整することは可能である。しかし、従来技術では、携帯情報端末の内部使用状態の変化に基づいて、音量調節を行う点について実質的に考慮されていない。従来技術では、単に、端末の使用が開始された否かといった外形的な状態変化のみに基づいて音量調整を行っており、ある内部使用状態から別の内部使用状態へ変化に基づいて音量調整を行うものではない。
【０００６】
映像視聴状態から音声通話状態への移行等のように、携帯情報端末の内部状態は、ユーザの使用に応じて種々変化する。携帯情報端末の多機能化が進むほど、端末の内部状態の種類も増加し、各内部状態間での遷移も頻繁に発生するようになる。従来技術では、ユーザは、この内部状態の変化に応じて、そのたびに音量の調整を行う必要があり、使い勝手が悪い。
【０００７】
また、近年では、高齢化社会の到来に伴って、携帯情報端末と補聴器との併用が増加している。補聴器と携帯情報端末とを併用する場合、携帯情報端末の内部的な使用状態が変化すると、補聴器の聞こえ方も変化する。従って、円滑な会話や視聴等を行うためには、携帯情報端末や補聴器の音量調整がそれぞれ必要となる。このような場合も、ユーザは、それぞれの音量調整を行わなければならず、使い勝手が低い。
【０００８】
本発明は、上記問題点に鑑みてなされたもので、その目的は、携帯情報端末の内部的な使用状態の変化に応じて、音量や音質を適切に調整可能とした携帯情報端末及び携帯情報端末の音声出力調整方法を提供することにある。
【課題を解決するための手段】
【０００９】
上記課題を解決すべく、本発明に従う携帯情報端末は、少なくとも音声入力部及び音声出力部を有する携帯情報端末本体と、この携帯情報端末本体に接続され、少なくとも他の音声入力部及び他の音声出力部を有する外部装置とを備えている。そして、端末内部で管理される所定の内部使用状態毎に予め登録される調整用情報をそれぞれ記憶する記憶部と、端末内部で管理される内部使用状態の変化を取得する使用状態取得部と、取得された内部使用状態が所定の内部使用状態である場合に、この所定の内部使用状態に対応する調整用情報を記憶部から読出し、この調整用情報に基づいて、各音声入力部の入力状態または各音声出力部の出力状態の少なくともいずれか一方または両方を調整する調整部と、を備えている。
【００１０】
音声入力部とは、人の音声に限らず、音を入力するための音入力部である。音声入力部としては、例えば、マイクロフォン（本明細書では「マイク」と略称）等を用いることができる。音声出力部とは、人の音声に限らず、音を出力するための音出力部である。音声出力部としては、例えば、スピーカやイヤホン等を用いることができる。外部装置とは、携帯情報端末本体の外部に設けられ、携帯情報端末と接続される音声入出力装置であって、例えば、ヘッドセットやイヤホンマイクとして構成することができる。外部装置と携帯情報端末本体とは、例えば、近距離無線通信や光通信等の無線を介して、携帯情報端末本体に接続される。
【００１１】
記憶部は、例えば、携帯情報端末本体の内部に固定的に取り付けられる半導体メモリやハードディスク装置等として構成することができる。あるいは、いわゆるメモリカード等のように、携帯情報端末本体に着脱可能な記憶媒体として構成することもできる。
【００１２】
記憶部には、所定の内部使用状態毎に、調整用情報が予め記憶されている。内部使用状態とは、携帯情報端末の内部で管理される使用状態を意味し、ある内部使用状態から別の内部使用状態に遷移するときに通過する中間的な状態も含まれる。所定の内部使用情報とは、複数の内部使用状態のうち予め設定された内部使用状態を意味する。所定の内部使用状態としては、例えば、待受状態、音声通話状態、映像視聴状態、音声通話かつ映像視聴状態等を挙げることができる。
【００１３】
調整用情報とは、所定の内部使用状態において、音量または音質あるいはその両方を調整するために使用する制御情報である。各調整用情報には、各音声出力部の出力系統毎にそれぞれ設けられる調整用設定値をそれぞれ含ませて構成することができる。つまり、各音声出力部毎にそれぞれ個別に調整可能である。
【００１４】
使用状態取得部は、内部使用状態の変化を取得する。例えば、内部使用状態の変化を検出する状態変化検出部を設けることにより、使用状態取得部は、内部状態が変化した後の内部使用状態を取得することができる。
【００１５】
所定の内部使用状態が取得されると、この所定の内部使用状態に応じた調整用情報が記憶部から読み出される。調整部は、この調整用情報に基づいて、複数の音声入力部の入力状態や複数の音声出力部の出力状態をそれぞれ個別に調整する。例えば、調整部は、音声入力部の入力や音声出力部の出力をそれぞれ完全に停止させることもできるし、あるいは、音声出力部から最大出力で音声を出力させることもできる。調整部は、携帯情報端末本体と外部装置の両方に設けることができる。
【００１６】
例えば、記憶部に各調整用情報をそれぞれ登録させるための登録部を備えることにより、ユーザは、自己の聴力やライフスタイル（携帯情報端末の使用方法等）にあわせて、調整用情報を登録することができる。
【００１７】
このように、本発明では、携帯情報端末の内部使用状態が変化した場合に、この内部使用状態の変化に応じて、複数系統の音声入出力をそれぞれ個別に調整するため、使い勝手が向上する。
【００１８】
調整部は、音量及び音質の両方をそれぞれ個別に調整可能である。音量のみを調整することもできるし、音質のみを調整することもできる。また、調整部は、音量と音質の両方を調整することもできる。なお、例えば、音声出力を完全に停止させるような場合（音量０）は、音質調整は不要である。
【００１９】
本発明の他の観点に従う携帯情報端末の音声出力調整方法は、携帯情報端末本体及びこの携帯情報端末本体に無線を介して接続される外部装置を備え、同時に使用可能な複数の音声出力系統を有する携帯情報端末の音声出力を調整するための音声出力調整方法であって、端末内部で管理される所定の内部使用状態毎に、調整用情報をそれぞれ登録するステップと、各登録された調整用情報を記憶部にそれぞれ記憶させるステップと、端末内部で管理される内部使用状態の変化を検出するステップと、検出された内部使用状態の変化に基づいて、変化後の内部使用状態を取得するステップと、取得された内部使用状態が所定の内部使用状態であるか否かを判定するステップと、所定の内部使用状態であると判定された場合は、この所定の内部使用状態に対応する調整用情報を記憶部から読出すステップと、読み出された調整用情報に基づいて、複数の音声出力系統の音声出力をそれぞれ個別に調整するステップと、を含んでいる。
【００２０】
なお、本発明は、調整用情報を記憶部に登録させるための機能（登録機能）、内部使用状態の変化を取得する機能（内部使用状態取得機能）、所定の内部使用状態に応じて調整用情報を読出し、入力または出力の少なくともいずれか一方または両方を個別に調整可能な機能（調整機能）等を、携帯情報端末のコンピュータに実現させるためのプログラムとして構成することもできる。また、本発明は、上記の音声出力調整方法を携帯情報端末のコンピュータに実行させるためのプログラムとして構成することもできる。そして、本発明に関わるプログラムは、例えば、半導体メモリや光ディスク等の種々の記憶媒体に固定して配布することができる。あるいは、本発明に関わるプログラムは、例えば、インターネット等の通信媒体を介して送信することもできる。
【発明を実施するための最良の形態】
【００２１】
以下、図１〜図１１に基づいて、本発明の実施形態を説明する。本実施の形態では、以下に詳述するように、本体マイク１１及び本体スピーカ１２を備えた携帯情報端末本体（以下、「端末本体」）１０と、マイク２及びイヤホン３を備えたイヤホンマイク１とを無線で接続する。そして、携帯情報端末の内部で管理される使用状態が変化した場合は、この内部的な使用状態の遷移に基づいて、複数系統の音声入出力をそれぞれ個別に自動調整する。
【実施例１】
【００２２】
図１は、本実施例による携帯情報端末の機能構成を示す機能ブロック図である。「外部装置」の一例であるイヤホンマイク１は、主要な機能として、外部マイク２と、イヤホン３と、設定部４と、通信部５とを備えている。イヤホンマイク１は、例えば、ユーザの頭部に装着される。
【００２３】
外部マイク２は、端末本体１０が備える本体マイク１１と区別されるもので、例えば、ユーザの口元の近傍に位置する。外部マイク２を骨伝導マイクとして構成する場合は、イヤホン３と一体化させることもできる。
【００２４】
設定部４は、外部マイク２への音声入力状態（感度）とイヤホン３からの音声出力状態とをそれぞれ個別に調節するものである。通信部５は、アンテナ６を介して、端末本体１０との間で無線通信を行うものである。通信部５は、例えば、数十センチ〜十数メートル程度の近距離無線通信により、端末本体１０と交信する。数十センチ未満の交信能力または十数メートル以上の交信能力でもよい。なお、イヤホン３には、例えば、ディスプレイ等を設けることもできる。
【００２５】
端末本体１０は、本体マイク１１と、本体スピーカ１２と、通信部１３及びアンテナ１４と、音量設定部１５及び音質設定部１６と、状態変化検知部１７と、使用状態取得部１８と、音量設定情報取得部１９及び音質設定情報取得部２０と、設定部２１と、メモリ３０とを備えている。
【００２６】
本体マイク１１は、例えば、端末本体１０をユーザが使用する場合に、ユーザの口元近傍に位置するようにして設けられる。本体スピーカ１２は、本体マイク１１から離れた別の位置で端末本体１０に設けられる。通信部１３は、アンテナ１４を介して、イヤホンマイク１と交信を行う。
【００２７】
音量設定部１５は、内部的な使用状態のそれぞれについて、各音声入出力系統の音量をそれぞれ個別に設定可能なものである。音量設定部１５により設定された情報は、音量設定情報３２としてメモリ３０に記憶される。音量設定情報３２については、図４と共にさらに後述する。
【００２８】
音質設定部１６は、内部的な使用状態のそれぞれについて、各音声入出力系統の音質をそれぞれ個別に設定可能なものである。音質設定部１６により設定された情報は、音質設定情報３３としてメモリ３０に記憶される。音質設定情報については、図５と共にさらに後述する。
【００２９】
音量設定部１５と音質設定部１６は、「登録部」の一例を構成する。これらの設定部１５，１６は、端末本体１０のユーザインターフェース上に実現される。具体例は、さらに後述する。
【００３０】
状態変化検知部１７は、端末本体１０の内部で管理される使用状態の変化を検知するものである。内部で管理される使用状態としては、例えば、待受状態、発呼状態、着呼状態、音声通話状態、映像視聴状態等を挙げることができる。使用状態取得部１８は、状態変化検知部１７によって使用状態の変化が検出されると、この変化後の使用状態が何であるかを取得するものである。
【００３１】
音量設定情報取得部１９は、使用状態取得部１８によって内部的な使用状態の変化が取得されると、この使用状態に応じた音量設定情報３２をメモリ３０から読み出して取得するものである。同様に、音質設定情報取得部２０は、使用状態に応じた音質設定情報をメモリ３０から読み出して取得するものである。
【００３２】
設定部２１には、音量設定情報取得部１９から音量設定情報３２が入力される。また、設定部２１には、音質設定情報取得部２０から音質設定情報３３が入力される。設定部２１は、これらの音量設定情報３２及び音質設定情報３３に基づいて、本体マイク１１及び本体スピーカ１２の入出力状態をそれぞれ個別に調整する。また、設定部２１は、音量設定情報３２及び音質設定情報３３のうち外部マイク２またはイヤホン３の設定に関する情報を、通信部１３を介してイヤホンマイク１に送信させる。
【００３３】
メモリ３０は、例えば、フラッシュメモリ等の半導体メモリとして構成可能である。メモリ３０には、使用状態一覧情報３１と、音量設定情報３２と、音質設定情報３３と、サンプルデータ３４とがそれぞれ記憶されている。ここで、サンプルデータとは、音量や音質の調整（フィッティング）を行うために用いられるデータである。サンプルデータは、例えば、音声通話状態用サンプルデータ、映像視聴用サンプルデータ等のように、使用状態毎にそれぞれ用意することができる。または、一つまたは少数のサンプルデータを各使用状態でそれぞれ共通に使用することもできる。
【００３４】
図２は、携帯情報端末の具体的なハードウェア構成の概略を示すブロック図である。例えば、イヤホンマイク１００は、外部マイク１０１と、イヤホン１０２と、アンプ１０３と、制御回路１０４と、ＲＦ回路１０５と、アンテナ１０６とを備えて構成することができる。ここで、制御回路１０４は、図１中の設定部４に対応する。ＲＦ回路１０５及びアンテナ１０６は、図１中の通信部５及びアンテナ６にそれぞれ対応する。なお、イヤホンマイク１００には、電池及び電源回路も設けることができるが、図２では省略する。
【００３５】
端末本体２００は、本体マイク２０１と、本体スピーカ２０２と、ＲＦ回路２０３と、アンテナ２０４と、ＬＣＤ２０５と、ＬＥＤ２０６と、スイッチ２０７と、ＣＣＤ２０８と、電源回路２０９と、電池２１０と、インターフェース回路（Ｉ／Ｆ）２１１と、アンプ２１２，２１３と、コントローラ２２０と、記憶媒体２３０とを備えて構成することができる。
【００３６】
ここで、本体マイク２０１は、図１中の本体マイク１１に対応する。本体スピーカ２０２は、図１中の本体スピーカ１２に対応する。ＲＦ回路２０３及びアンテナ２０４は、図１中の通信部１３及びアンテナ１４にそれぞれ対応する。図１中に示す各設定部１５，１６と、各設定情報取得部１９，２０と、状態変化検知部１７及び使用状態取得部１８と、設定部２１とは、主としてコントローラ２２０により実現することができる。
【００３７】
ＬＣＤ（Liquid Crystal Display）２０５は、表示部としての一例であって、液晶ディスプレイに限らず、例えば、プラズマディスプレイ等の他の表示装置を用いてもよい。ＬＥＤ２０６は、携帯情報端末の状態（着呼状態、電源オン状態等）を表示するために用いられる。なお、これらの状態表示をＬＣＤ２０５で行う場合、ＬＥＤ２０６は省略することができる。
【００３８】
スイッチ２０７は、例えば、テンキーボードスイッチや電源スイッチ等から構成される押釦スイッチ群として構成される。なお、ＬＣＤ２０５を介して情報を入力する場合や音声指示で情報を入力するような場合は、スイッチ群２０７の一部または全部を省略することができる。
【００３９】
ＣＣＤ２０８は、撮像部の一例であって、ＣＣＤ（Charge Coupled Device）素子を使用する場合に限らず、例えば、ＣＭＯＳ（Complementary Metal-Oxide Semiconductor）素子等の他の素子を使用してもよい。ＣＣＤ２０８は、ユーザが自画像や外部の風景を撮影するのに使用される。また、ＣＣＤ２０８を利用して、ユーザは、いわゆるテレビ電話を行うことができる。
【００４０】
電源回路２０９は、電池２１０の電源電圧に基づいて所定の電圧を生成し、コントローラ２２０等の各部に電力を供給する。なお、電源としては、電池２１０に限らず、例えば、光電変換回路（太陽電池）や熱電変換回路等を利用することもできる。
【００４１】
Ｉ／Ｆ２１１は、外部の記憶媒体２３０とのデータ授受を行うためのものである。記憶媒体２３０は、例えば、フラッシュメモリ等の半導体メモリや小型ハードディスク装置あるいは小型光ディスク装置等から構成される。
【００４２】
コントローラ２２０は、携帯情報端末の各種通信処理や制御を行うものである。コントローラ２２０は、例えば、ＤＳＰ（Digital Signal Processor）２２１と、ＭＣＵ（Micro Control Unit、あるいはＭＰＵ（Micro Processing Unit））２２２と、プログラムメモリ２２３と、データメモリ２２４とを備えて構成することができる。これら各部は、バス２２５を介して相互に接続される。
【００４３】
ＭＣＵ２２２は、プログラムメモリ２２３に格納されているマイクロコードを読み出して実行することにより、端末内の制御処理の一部または全部を実行する。データメモリ２２４は、ワークエリアとして使用されるほかに、ユーザデータ（画像ファイルやアドレス帳データ等）が格納される。
【００４４】
図１中に示したメモリ３０は、データメモリ２２４として構成するができる。または、メモリ３０を外部の記憶媒体２３０として構成することもできる。あるいは、メモリ３０を、データメモリ２２４及び記憶媒体２３０から構成することもできる。例えば、音量設定情報３２及び音質設定情報３３を記憶媒体２３０に格納させることにより、ユーザが携帯情報端末の機種を変更したような場合でも、音量設定情報３２等を新しい携帯情報端末に簡単に引き継がせることができる。
【００４５】
なお、ヘッドフォン２４０は、携帯情報端末に有線接続されるもので、イヤホンマイク１００とは別の製品である。
【００４６】
図３は、使用状態一覧情報３１に登録される所定の使用状態を示す説明図である。図３（ａ）に示すように、携帯情報端末の内部的な所定の使用状態としては、例えば、待受状態Ｕ１と、音声通話状態Ｕ２と、映像視聴状態Ｕ３と、音声通話かつ映像視聴状態Ｕ４とを挙げることができる。
【００４７】
図３（ｂ）は、各状態Ｕ１〜Ｕ４の状態遷移図である。待受状態Ｕ１とは、移動体通信網による音声通話等が行われていない待機状態である。
待受状態Ｕ１にある場合に、外部から着信されて通話が開始されると、待受状態Ｕ１から音声通話状態Ｕ２に遷移する。通話が切断された場合は、音声通話状態Ｕ２から待受状態Ｕ１に遷移する。
【００４８】
待受状態Ｕ１にある場合に、ユーザが映像の視聴を開始すると、待受状態Ｕ１から映像視聴状態Ｕ３に遷移する。例えば、待受状態Ｕ１から、ユーザが地上波デジタルテレビを視聴したり、端末本体１０内に保存されている動画像を再生したような場合に、映像視聴状態Ｕ３に移行する。映像視聴が終了すると、映像視聴状態Ｕ３から待受状態Ｕ１に遷移する。
【００４９】
映像視聴中（Ｕ３）に外部からの着呼に応じて音声通話を開始したり、あるいは、音声通話中（Ｕ２）に映像の視聴を始めたりした場合は、音声通話かつ映像視聴状態Ｕ４に遷移する。つまり、音声通話かつ映像視聴状態Ｕ４とは、例えば、移動体通信網を利用した音声通話と、地上波デジタルテレビ等の映像視聴とをそれぞれ実行する状態である。
【００５０】
なお、映像と音声とを同時に出力するテレビ電話の場合は、音声通話状態Ｕ２に分類することができる。映像視聴に伴う音声出力と音声通話による音声出力とがそれぞれ別々に行われる場合に、音声通話かつ映像視聴状態Ｕ４となる。
【００５１】
音声通話かつ映像視聴状態Ｕ４にある場合に、通話が切断されると、映像視聴状態Ｕ３に遷移する。また、音声通話かつ映像視聴状態Ｕ４にある場合に、映像視聴が終了すると、音声通話状態Ｕ２に遷移する。
【００５２】
図４は、音量設定情報３２の構成例を示す説明図である。音量設定情報３２は、所定の各使用状態毎にそれぞれ設定可能である。即ち、音量設定情報３２は、待受状態Ｕ１用の音量設定情報３２１と、音声通話状態Ｕ２用の音量設定情報３２２と、映像視聴状態Ｕ３用の音量設定情３２３と、音声通話かつ映像視聴状態Ｕ４用の音量設定情報３２４とから構成することができる。
【００５３】
ここで、例えば、「Ｖ１１」とは、第１の使用状態（Ｕ１）における第１のデバイスの設定値を示す。「Ｖ２３」は、第２の使用状態（Ｕ２）における第３のデバイスの設定値である。図４中では、説明の便宜上、外部マイク２を第１のデバイス、本体マイク１１を第２のデバイス、イヤホン３を第３のデバイス、本体スピーカ１２を第４のデバイスとしている。なお、音声入力デバイスと音声出力デバイスとに分類する場合は、例えば、外部マイク２を第１の入力デバイス、本体マイク１１を第２の入力デバイス、イヤホン３を第１の出力デバイス、本体スピーカ１２を第２の出力デバイスと呼ぶこともできる。なお、第１，第２の順序は変えることができる。
【００５４】
ここで、音声出力デバイスであるイヤホン３及び本体スピーカ１２には、それぞれ音声通話からの音声と、映像視聴に伴う音声との２種類の音声が出力されうる。つまり、音声出力デバイスには、複数系統の音声が出力されるので、各系統毎にそれぞれ個別に設定値をセットできるようにしている。例えば、「Ｖ１３Ａ」は、第１の使用状態（Ｕ１）において、第３のデバイス（イヤホン３）から出力される音声通話の音量を調整するための情報である。「Ｖ１３Ｂ」は、第１の使用状態（Ｕ１）において、第３のデバイス（イヤホン３）から出力される映像視聴の音声を調整するための情報である。
【００５５】
図５は、音質設定情報３３の構成例を示す説明図である。音質設定情報３３も、所定の各使用状態Ｕ１〜Ｕ４のそれぞれについて用意することができる。即ち、音質設定情報３３は、待受状態Ｕ１用の音質設定情報３３１と、音声通話状態Ｕ２用の音質設定情報３３２と、映像視聴状態Ｕ３用の音質設定情報３３３と、音声通話かつ映像視聴状態Ｕ４用の音質設定情報３３４とから構成することができる。
【００５６】
なお、音量設定情報３２の場合も同様であるが、各使用状態Ｕ１〜Ｕ４の全てについて設定情報３２，３３をそれぞれ用意する必要は必ずしもなく、ユーザは、自分に必要な範囲内で設定することができる。また、例えば、初期設定用の音量設定情報３２と音質設定情報３３とを予め用意してもよい。本実施例において、音量設定情報３２及び音質設定情報３３をまとめて聴力フィッティングデータと呼ぶ場合がある。
【００５７】
音質設定情報３３では、例えば、低音領域（Ｌ）と、中音領域（Ｍ）と、高音領域（Ｈ）のように、可聴周波数を複数の領域に分けて、それぞれの周波数領域に設定値を格納を格納している。例えば、「Ｑ１２Ｌ」は、第１の使用状態（Ｕ１）において、第２のデバイス（本体マイク１１）の低音領域用の設定値であることを示す。例えば、「Ｑ２３ＨＡ」は、第２の使用状態（Ｕ２）において、第３のデバイス（イヤホン３）からＡ系統（例えば、音声通話）の音声を出力する場合の高音領域用の設定値であることを示す。
【００５８】
図６は、音量設定情報３２及び音質設定情報３３を端末本体１０のメモリ３０に登録させるための設定画面例を示す説明図である。この画面は、音量設定部１５及び音質設定部１６に対応する。
【００５９】
設定画面には、例えば、使用状態選択部Ｍ１と、調節デバイス選択部Ｍ２と、調節音声選択部Ｍ３と、調節内容選択部Ｍ４と、設定値選択部Ｍ５との複数の選択メニューを表示させることができる。また、設定画面には、サンプル音声を再生させるためのサンプル音声再生ボタンＢ１と、設定完了を指示するための設定完了ボタンＢ２とを設けることができる。
【００６０】
使用状態選択部Ｍ１は、予め用意されている複数の使用状態Ｕ１〜Ｕ４のうち、ユーザが音量や音質の設定を希望する使用状態をいずれか１つ選択するためのものである。ユーザは、プルダウンメニューボタンＢ３を操作することにより、選択可能な使用状態を一覧表示させることができ、一覧表示された中から所望の使用状態を１つだけ選択することができる。
【００６１】
調節デバイス選択部Ｍ２は、予め用意されている調節対象デバイス（外部マイク２，イヤホン３，本体マイク１１，本体スピーカ１２）の中から、音量や音質の調節を希望するデバイスをいずれか１つ選択するためのものである。
【００６２】
調節音声選択部Ｍ３は、予め用意されている音声系統（映像音声、音声通話）の中から、音量や音質の調節を希望する音声系統をいずれか１つ選択するためのものである。
【００６３】
調節内容選択部Ｍ４は、予め用意されている調節内容（音量、音質）の中から、いずれか１つを選択するためのものである。
【００６４】
設定値選択部Ｍ５は、予め用意されている設定値（例えば、０〜５等のレベル）の中からいずれか１つの値を設定するためのものである。
【００６５】
図６に示す例では、音声通話かつ映像視聴状態（Ｕ４）において、本体スピーカ１２から出力される映像音声の音量をレベル２に設定する様子が示されている。設定を行う際に、ユーザは、サンプル音声再生ボタンＢ１を操作してサンプルデータ３４を再生させることにより、所望のレベルを選択することができるようになっている。
【００６６】
図７〜図９に基づいて、携帯情報端末の音声入出力調整方法（聴力フィッティング方法）の一例を説明する。
図７は、聴力フィッティング処理の全体を示す概略フローチャートである。まず、聴力フィッティングモードが起動されると、図示せぬ所定の初期化処理等を行った後で、聴力フィッティングデータ登録モードに移行するか否かが判定される（Ｓ１）。
【００６７】
聴力フィッティングデータ登録モードとは、音量設定部１５や音質設定部１６による音量設定情報３２や音質設定情報３３の登録を行うモードである。ユーザは、所定の操作を行うことにより、登録モードに移行することができる（S1：YES）。ユーザが登録モードを選択した場合は、聴力フィッティングデータの登録処理（Ｓ２）が行われる。この処理は別図と共に詳述する。
【００６８】
ユーザが、聴力フィッティングデータ登録モードを選択しない場合（S1：NO）、登録済の聴力フィッティングデータに基づいて、聴力フィッティング連動処理（Ｓ３）が開始される。この処理の詳細はさらに後述する。
【００６９】
図８は、聴力フィッティングデータ登録処理の概略を示すフローチャートである。まず、端末本体１０は、メモリ３０から使用状態一覧情報３１を読込み（Ｓ１１）、図６で示したような設定画面（登録メニューＭ１〜Ｍ５）を表示させる（Ｓ１２）。
【００７０】
ユーザが使用状態Ｕ１〜Ｕ４のいずれか１つを選択すると（Ｓ１３）、端末本体１０は、この選択された使用状態に関して登録されている音量設定情報３２及び音質設定情報３３を、メモリ３０から読み込む（Ｓ１４）。
【００７１】
次に、端末本体１０は、ユーザがサンプルデータ３４の再生を希望する場合に、サンプルデータ３４をメモリ３０から読み込んで再生する（Ｓ１５，Ｓ１６）。ユーザは、サンプルデータ３４を確認しながら、自分にあった音量や音質に調整する（Ｓ１８）。所望のフィッティングデータが得られた場合、即ち、聞こえやすい音量レベルや音質レベルの選択が完了した場合（S17：YES）、このデータが音量設定情報３２や音質設定情報３３として、メモリ３０に記憶される（Ｓ１９）。
【００７２】
図９は、聴力フィッティング連動処理の概要を示すフローチャートである。まず、端末本体１０は、端末内部の使用状態が変化したか否かを随時監視している（Ｓ２１）。端末内部の使用状態が変化すると（S21：YES）、端末本体１０は、遷移後の使用状態を取得する（Ｓ２２）。
【００７３】
端末本体１０は、メモリ３０から使用状態一覧情報３１を読込み（Ｓ２３）、Ｓ２２で取得した使用状態が使用状態一覧情報３１に登録されている所定の使用状態であるか否かを判定する（Ｓ２４）。
【００７４】
使用状態一覧情報３１に登録されていない使用状態である場合（S24：NO）、聴力フィッティング処理の対象外であるため、Ｓ２１に戻る。Ｓ２２で取得された使用状態が使用状態一覧情報３１に登録されている場合（S24：YES）、端末本体１０は、この取得された使用状態に対応する音量設定情報３２及び音質設定情報３３をメモリ３０からそれぞれ読込む（Ｓ２５）。
【００７５】
次に、端末本体１０は、メモリ３０から読み出された音量設定情報３２と音質設定情報３３のうち、端末本体１０の外部に設けられているイヤホンマイク１に関する設定情報を選別する（Ｓ２６）。
【００７６】
端末本体１０の本体マイク１１及び本体スピーカ１２に関する設定情報の場合（S26：NO）、この設定情報に基づいて、本体マイク１１と本体スピーカ１２の音量や音質をそれぞれ個別に調節する（Ｓ２７）。
【００７７】
一方、イヤホンマイク１に関する設定情報の場合（S26：YES）、端末本体１０は、イヤホンマイク１に関する設定情報を、通信部１３等を介して、イヤホンマイク１に送信させる（Ｓ２８）。イヤホンマイク１は、受信した設定情報に基づいて、外部マイク２及びイヤホン３の音量や音質をそれぞれ個別に調節する（Ｓ２９）。
【００７８】
このように、携帯情報端末の内部的な使用状態が所定の使用状態Ｕ１〜Ｕ４間で遷移した場合は、遷移後の使用状態に応じて、複数系統の音声出力及び音声入力の音量と音質がそれぞれ個別に調節されるようになっている。
【００７９】
図１０は、音量設定情報３２の具体的な設定例を示す説明図である。図４に示す表現と図１０に示す表現とは相違するが、両者の実質的な構造は等しい。
図１０に示す例では、音声通話状態Ｕ２において、本体マイク１１の入力レベルを「３」に設定すると共に、本体スピーカ１２からの音声通話の出力レベルを「３」に設定し、それ以外の音声入力及び音声出力を「０」に設定している。また、映像視聴状態Ｕ３では、本体スピーカ１２からの映像音声の出力レベルを「１」に、イヤホン３からの映像音声の出力レベルを「３」にそれぞれ設定し、それ以外の音声入力及び音声出力を「０」に設定している。さらに、音声通話かつ映像視聴状態Ｕ４では、外部マイク２の入力レベルを「３」に、本体マイク１１の出力レベルを「０」にそれぞれ設定し、本体スピーカ１２からの映像音声の出力レベルを「２」に、イヤホン３からの映像音声の出力レベルを「１」にそれぞれ設定している。また、イヤホン３からの音声通話の出力レベルを「３」に設定し、本体スピーカ１２からの音声通話の出力レベルを「０」に設定している。
【００８０】
音声通話かつ映像視聴状態Ｕ４における上記設定を実行する様子を、図１１の模式図に示す。音声通話と映像視聴とを同時に行う場合、イヤホン３からは、音声通話が音量「３」のレベルで出力されると共に、映像音声が音量「１」のレベルで出力される。本体スピーカ１２からは、映像音声のみが音量「２」のレベルで出力される。そして、外部マイク２の音声入力レベルは音量「３」に設定され、本体マイク１１は切られている。
【００８１】
このように、図１０に示す設定例では、音声通話と映像視聴とを同時に行う場合、イヤホンマイク１による音声通話を主とし、映像視聴を従に設定している。ユーザは、音声通話に重点を置きながらも、音声通話の背景として聞こえる映像音声や、本体スピーカ１２から聞こえてくる映像音声により、映像視聴を続けることができる。なお、図１０，図１１に示す例とは逆に、映像視聴を主とし、音声通話を従とする設定でもよい。どのような設定にするかは、ユーザが自由に選択することができる。
【００８２】
本実施例は上述のように構成されるので、以下の効果を奏する。本実施例では、携帯情報端末が内部で管理する使用状態に基づいて、音声入出力の音量や音質を自動的に調節できる構成とした。従って、内部の使用状態が遷移した場合でも、遷移後の使用状態に適した音量や音質に自動的に調節でき、手動でいちいち調節する手間を省くことができる。これにより、使い勝手が向上する。さらに、ユーザが携帯情報端末を使用している最中に、内部の使用状態が種々遷移した場合でも、ユーザの利用環境が低下するのを抑制して、携帯情報端末の使用を継続させることができる。
【００８３】
特に、携帯電話等の携帯情報端末では、年々新たな機能が追加されるが、機能が多くなればなるほど、端末内部の使用状態の種類も増加する。携帯情報端末の新たな使用方法が提案されるほど、内部の使用状態は、様々にかつ頻繁に遷移する可能性がある。このような場合でも、本実施例によれば、ユーザの使い方に応じて、適切な音量や音質を自動的に設定することができ、使い勝手が向上する。
【００８４】
本実施例では、複数系統の音声入力及び音声出力のそれぞれを個別に調整できる構成とした。従って、例えば、イヤホンマイク１と端末本体１０とで、それぞれ音声入出力の音量レベルを調節することにより、ユーザの使い方や好み等に応じた適切な音環境を実現することが可能である。
【００８５】
特に、イヤホンマイク１と端末本体１０とを無線で接続するような場合、ユーザは、端末本体１をそこに残したまま、イヤホンマイク１を装着して比較的自由に移動することができる。ユーザが移動すると、ユーザと端末本体１０との間の距離や角度等が変化するため、端末本体１０からの音声の聞こえ方も種々変化する。端末本体１０を残したままイヤホンマイク１だけを装着して移動するような使い方が多い場合、イヤホンマイク１の音声入出力に重点をおいて音量や音質を設定することができる。このように、端末本体１０から分離された別の音声入出力系統（外部マイク２，イヤホン３）を有する携帯情報端末の場合、使い勝手が向上する。
【００８６】
あるいは、例えば、親子や友人同士によって端末本体１０とイヤホンマイク１とがそれぞれ別々に使用されるような場合に、イヤホンマイク１では音声通話のみを行い、端末本体１０では映像視聴のみを行うこともできる。
【００８７】
なお、本発明は、上述した実施形態に限定されない。当業者であれば、本発明の範囲内で、種々の追加や変更等を行うことができる。例えば、携帯情報端末の主要な機能を端末本体１０に搭載する場合を示したが、これに限らず、イヤホンマイク１に主要な機能を搭載する構成でもよい。例えば、イヤホンマイク１にコントローラやメモリ等を搭載し、再生された映像データ等をイヤホンマイク１から端末本体１０に転送して再生させる構成としてもよい。
【００８８】
例えば、地上波デジタルテレビを視聴している最中に、テレビ電話が開始されたような場合は、音量や音質を自動調節すると共に、ディスプレイに表示されるテレビ画像と相手方話者の画像の表示サイズや表示位置、透過率等を自動的に調節してもよい。
【００８９】
内部的な使用状態として、待受状態、音声通話状態、映像視聴状態、音声通話かつ映像視聴状態の４つを例示したが、本発明はこれに限らず、例えば、内蔵カメラによる撮影状態やラジオ聴取状態、ゲームプログラムのプレイ状態等のように、他の内部的な使用状態の遷移に基づいて音量等を自動調節することもできる。
【図面の簡単な説明】
【００９０】
【図１】本発明の実施例による携帯情報端末の機能構成の概略を示すブロック図である。
【図２】携帯情報端末のハードウェア構成の概略を示すブロック図である。
【図３】端末内部で管理される複数の使用状態と、各使用状態間で遷移する様子とを示す説明図である。
【図４】音量設定情報の構成を示す説明図である。
【図５】音質設定情報の構成を示す説明図である。
【図６】音量設定や音質設定を行うための設定画面を模式的に示す説明図である。
【図７】聴力フィッティング処理の全体を示すフローチャートである。
【図８】聴力フィッティングデータの登録処理を示すフローチャートである。
【図９】聴力フィッティング連動処理を示すフローチャートである。
【図１０】音声設定と音量設定の具体的な一例を示す説明図である。
【図１１】複数系統の音声入出力が調節されている様子を模式的に示す説明図である。
【符号の説明】
【００９１】
１…イヤホンマイク、２…外部マイク、３…イヤホン、４…設定部、５…通信部、６…アンテナ、１０…端末本体、１１…本体マイク、１２…本体スピーカ、１３…通信部、１４…アンテナ、１５…音量設定部、１６…音質設定部、１７…状態変化検知部、１８…使用状態取得部、１９…音量設定情報取得部、２０…音質設定情報取得部、２１…設定部、３０…メモリ、３１…使用状態一覧情報、３２…音量設定情報、３３…音質設定情報、３４…サンプルデータ、１００…イヤホンマイク、１０１…外部マイク、１０２…イヤホン、１０３…アンプ、１０４…制御回路、１０５…ＲＦ回路、１０６…アンテナ、２００…端末本体、２０１…本体マイク、２０２…本体スピーカ、２０３…ＲＦ回路、２０４…アンテナ、２０５…ＬＣＤ、２０６…ＬＥＤ、２０７…スイッチ、２０８…ＣＣＤ、２０９…電源回路、２１０…電池、２１２，２１３…アンプ、２２０…コントローラ、２２１…ＤＳＰ、２２２…ＭＣＵ、２２３…プログラムメモリ、２２４…データメモリ、２２５…バス、２３０…記憶媒体、Ｂ１…サンプル音声再生ボタン、Ｂ２…設定完了ボタン、Ｂ３…プルダウンメニューボタン、Ｍ１…使用状態選択部、Ｍ２…調節デバイス選択部、Ｍ３…調節音声選択部、Ｍ４…調節内容選択部、Ｍ５…設定値選択部、Ｕ１…待受状態、Ｕ２…音声通話状態、Ｕ３…映像視聴状態、Ｕ４…映像視聴状態
【図１】
2005277999.tif 000003
【図２】
2005277999.tif 000004
【図３】
2005277999.tif 000005
【図４】
2005277999.tif 000006
【図５】
2005277999.tif 000007
【図６】
2005277999.tif 000008
【図７】
2005277999.tif 000009
【図８】
2005277999.tif 000010
【図９】
2005277999.tif 000011
【図１０】
2005277999.tif 000012
【図１１】
2005277999.tif 000013